【手続補正書】
【提出日】平成21年3月26日(2009.3.26)
【手続補正１】
【補正対象書類名】特許請求の範囲
【補正対象項目名】全文
【補正方法】変更
【補正の内容】
【特許請求の範囲】
【請求項１】
印刷装置に送信すべき印刷ジョブを生成するプリンタドライバを有する情報処理装置であって、
印刷要求するユーザまたはグループを識別する識別手段と、
ユーザまたはグループごとに選択を許可する印刷用途を設定する設定手段と、
前記設定手段により設定された複数の印刷用途の中から印刷用途を選択する選択手段と、
前記選択手段が選択した印刷用途に対応する印刷制限情報を取得する取得手段と、
前記取得手段が取得した印刷制限情報の範囲内で印刷処理を実行指示する実行指示手段と、
を有することを特徴とする情報処理装置。
【請求項２】
前記複数の印刷用途を表示する表示手段と、
前記表示手段に表示された複数の印刷用途の中から印刷用途を前記選択手段が選択し、
前記取得手段により取得された印刷制限情報に基づいて、前記表示手段に表示される印刷設定画面中で制限すべき印刷体裁を選択不可状態でマスク表示させる制御手段と、をさらに備える請求項１に記載の情報処理装置。
【請求項３】
前記表示手段は、前記識別手段が印刷要求するユーザが登録された複数のグループに属すると識別した場合、各グループの印刷用途との論理和から印刷用途を表示することを特徴とする請求項２記載の情報処理装置。
【請求項４】
ユーザまたはグループごとに印刷用途に関連づけられた印刷制限情報を保持する保持手段を備え、
前記取得手段は、前記保持手段から前記印刷制限情報を取得することを特徴とする
請求項１記載の情報処理装置。
【請求項５】
前記取得手段は、前記識別手段による識別されるユーザまたはグループに設定された印刷制限情報をサーバ装置から取得することを特徴とする請求項１記載の情報処理装置。
【請求項６】
前記制御手段は、制限すべき印刷体裁をグレー表示あるいは非表示とすることで選択不可状態とすることを特徴とする請求項２記載の情報処理装置。
【請求項７】
前記印刷ジョブの出力毎に、識別されたユーザ毎に選択された印刷用途、印刷ジョブを含む印刷履歴情報をサーバ装置に転送する転送手段を備えることを特徴とする請求項１記載の情報処理装置。
【請求項８】
前記印刷ジョブの出力毎に、識別されたユーザ毎に選択された印刷用途、印刷ジョブに対応する印刷履歴情報を保持する保持手段を備えることを特徴とする請求項１記載の情報処理装置。
【請求項９】
前記設定手段は、選択可能な印刷用途にユーザまたはグループを設定することを可能とすることを特徴とする請求項１記載の情報処理装置。
【請求項１０】
前記選択手段は、複数のグループに属するユーザを識別した場合、グループ選択後、印刷用途を選択可能な状態に遷移することを特徴とする請求項１記載の情報処理装置。
【請求項１１】
印刷制限情報を前記印刷ジョブに付加して印刷装置に転送することを特徴とする請求項１記載の情報処理装置。
【請求項１２】
操作部を備える印刷装置であって、
印刷要求を行うユーザまたはグループを識別する識別手段と、
ユーザまたはグループごとに選択を許可する印刷用途を設定する設定手段と、
前記設定手段により設定された複数の印刷用途の中から印刷用途を選択する選択手段と、
前記選択手段が選択した印刷用途に対応する印刷制限情報を取得する取得手段と、
前記取得手段が取得した印刷制限情報の範囲内で印刷処理を実行指示する実行指示手段と、
を有することを特徴とする印刷装置。
【請求項１３】
前記複数の印刷用途を前記操作部に表示する表示手段と、
前記操作部に表示された複数の印刷用途の中から印刷用途を前記選択手段が選択し、
前記取得手段により取得された印刷制限情報に基づいて、前記操作部に表示される印刷設定画面中で制限すべき印刷体裁を選択不可状態でマスク表示させる制御手段をさらに備える請求項１２に記載の印刷装置。
【請求項１４】
各ユーザまたはグループ毎に印刷用途に関連づけられた印刷制限情報を保持する保持手段を備え、
前記取得手段は、前記保持手段から前記印刷制限情報を取得することを特徴とする請求項１２記載の印刷装置。
【請求項１５】
前記取得手段は、前記識別手段による識別されるユーザまたはグループに設定された印刷制限情報をサーバ装置から取得することを特徴とする請求項１２記載の印刷装置。
【請求項１６】
情報処理装置から印刷ジョブを受信する受信手段と、
前記印刷制限情報に基づいて、受信した印刷ジョブの実行を制限する制限手段と、
を有することを特徴とする請求項１２記載の印刷装置。
【請求項１７】
前記制限手段は、前記印刷ジョブの出力ページ数が印刷制限情報で設定された上限ページ数を超えるかどうかを判断する判断手段を備え、
前記判断手段が上限ページ数を超えないと判断した場合は、前記印刷ジョブの実行を継続し、前記判断手段が上限ページ数を超えると判断した場合は、前記印刷ジョブの実行を中途終了することを特徴とする請求項１６記載の印刷装置。
【請求項１８】
印刷装置に送信すべき印刷ジョブを生成するプリンタドライバを有する情報処理装置に
おける出力制御方法であって、
印刷要求するユーザまたはグループを識別する識別ステップと、
ユーザまたはグループごとに選択を許可する印刷用途を設定する設定ステップと、
前記設定ステップにより設定された複数の印刷用途の中から印刷用途を選択する選択ステップと、
前記選択ステップが選択した印刷用途に対応する印刷制限情報を取得する取得ステップと、
前記取得ステップが取得した印刷制限情報の範囲内で印刷処理を実行指示する実行指示ステップと、
を有することを特徴とする出力制御方法。
【請求項１９】
操作部を備える印刷装置における出力制御方法であって、
印刷要求を行うユーザまたはグループを識別する識別ステップと、
ユーザまたはグループごとに選択を許可する印刷用途を設定する設定ステップと、
前記操作部に表示される印刷用途を選択する選択ステップと、
前記選択ステップが選択した印刷用途に対応する印刷制限情報を取得する取得ステップと、
前記取得ステップが取得した印刷制限情報の範囲内で印刷処理を実行指示する実行指示ステップと、
を有することを特徴とする出力制御方法。
【請求項２０】
請求項１８または１９に記載の出力制御方法をコンピュータに実行させることを特徴と
するプログラム。
【手続補正２】
【補正対象書類名】明細書
【補正対象項目名】発明の名称
【補正方法】変更
【補正の内容】
【発明の名称】情報処理装置、印刷装置、出力制御方法、およびプログラム
【手続補正３】
【補正対象書類名】明細書
【補正対象項目名】００２０
【補正方法】変更
【補正の内容】
【００２０】
印刷装置に送信すべき印刷ジョブを生成するプリンタドライバを有する情報処理装置であって、印刷要求するユーザまたはグループを識別する識別手段と、ユーザまたはグループごとに選択を許可する印刷用途を設定する設定手段と、前記設定手段により設定された複数の印刷用途の中から印刷用途を選択する選択手段と、前記選択手段が選択した印刷用途に対応する印刷制限情報を取得する取得手段と、前記取得手段が取得した印刷制限情報の範囲内で印刷処理を実行指示する実行指示手段とを有することを特徴とする。
【手続補正４】
【補正対象書類名】明細書
【補正対象項目名】００２２
【補正方法】変更
【補正の内容】
【００２２】
操作部を備える印刷装置であって、印刷要求を行うユーザまたはグループを識別する識別手段と、ユーザまたはグループごとに選択を許可する印刷用途を設定する設定手段と、前記設定手段により設定された複数の印刷用途の中から印刷用途を選択する選択手段と、前記選択手段が選択した印刷用途に対応する印刷制限情報を取得する取得手段と、前記取得手段が取得した印刷制限情報の範囲内で印刷処理を実行指示する実行指示手段とを有することを特徴とする。